(57)【特許請求の範囲】
【請求項１】
回路基板に実装される光源によって透過照明される指針や表示板を設け、第１の表示情報を発する第１の表示器と、
前記第１の表示情報とは異なる第２の表示情報を発する第２の表示器と、
前記第１の表示器と前記第１の表示情報を視認する観察者との間に設けられ、前記第１の表示情報を透過するとともに、前記第２の表示情報を前記観察者側に反射することによって、前記第１，第２の表示情報を合成表示可能な透過反射部材と、
前記回路基板に実装され、前記透過反射部材を照明するための照明光源と、を備え、
前記透過反射部材には、入射された前記照明光源からの前記照明光を観察者側に反射もしくは屈折させる照明装飾部を設けてなることを特徴とする車両用表示装置。
【発明の詳細な説明】
【技術分野】
【０００１】
本発明は、車両用表示装置に関し、特に、透過型反射部材を備え、虚像表示と実像表示とを組み合わせて表示する表示装置に好適である。
【背景技術】
【０００２】
従来、車両用表示装置としては、例えば特許文献１〜３に示されているように、発光表示器の前方（表示面側）にハーフミラーなどの透過型反射部材を設けるとともに、この透過型反射部材の前方側にさらに他の発光表示器を配置し、前記発光表示器から発せられる光が透過型反射部材を透過することで実像表示し、前記他の発光表示器から発せられる光を透過型反射パネルで反射して虚像表示する表示装置が知られている。
【特許文献１】特開平９−２５７５２３号公報
【特許文献２】特開２００２−１１４０５８号公報
【特許文献３】特開２００２−１０４０１９号公報
【発明の開示】
【発明が解決しようとする課題】
【０００３】
これら車両用表示装置は、実像用の発光表示器による実像表示と虚像用の発光表示器による虚像表示とを組み合わせて表示することによって、例えば、観察者（特に、車両運転者）に前記虚像が前記実像の前方に位置するように視認される立体的な表示を得ることができる。
【０００４】
しかしながら、これら車両用表示装置は、前記実像と前記虚像との距離感の差によって立体感を演出したり、距離感をなくすことで一体感を演出したりできるが、それ以上の表示効果を得ることができないでいた。
【０００５】
本発明の目的とするところは、上述の点に着目してなされたもので、更なる表示効果を得ることによって商品性を向上させることが可能な車両用表示装置を提供することにある。
【課題を解決するための手段】
【０００６】
本発明の車両用表示装置は、請求項１に記載したように、回路基板に実装される光源によって透過照明される指針や表示板を設け、第１の表示情報を発する第１の表示器と、前記第１の表示情報とは異なる第２の表示情報を発する第２の表示器と、前記第１の表示器と前記第１の表示情報を視認する観察者との間に設けられ、前記第１の表示情報を透過するとともに、前記第２の表示情報を前記観察者側に反射することによって、前記第１，第２の表示情報を合成表示可能な透過反射部材と、前記回路基板に実装され、前記透過反射部材を照明するための照明光源と、を備え、前記透過反射部材には、入射された前記照明光源からの前記照明光を観察者側に反射もしくは屈折させる照明装飾部を設けてなることを特徴とする。
【発明の効果】
【０００８】
本発明は、透過型反射部材を備え、虚像表示と実像表示とを組み合わせて表示する表示装置に関し、更なる表示効果を得ることによって商品性を向上させることが可能な車両用表示装置となる。
【発明を実施するための最良の形態】
【０００９】
以下、添付図面に基づいて、本発明の車両用表示装置を車両用計器に適用したもの実施例として例にあげて説明する。
【００１０】
図１は、車両用計器の構成を概略して示す図であり、車両用表示装置は、例えば自動車のインストルメントパネルに搭載される複合計器からなるもので、第１，第２の表示器１，２と、透過反射部材３と、照明光源４と、導光部材５と、を備えている。
【００１１】
第１の表示器１は、例えば、車両の走行速度やエンジン回転数、残燃料量などの計測値を第１の表示情報１ａをして観察者Ｐ側へ発するための表示ユニットである。また、第１の表示器１は、観察者Ｐに対面するように配置され、指針１１と、ステッピングモータ１２と、表示板１３と、スペーサ１４と、光源１５と、を設けてなる。なお、指針１１と表示板１３は、観察者Ｐから透過反射部材３を介して視認できる位置に設けられる。
【００１２】
指針１１は、光源１５からの光を導光する透光性合成樹脂材と、この透光性合成樹脂材の回転軸付近を覆う遮光性合成樹脂からなる指針カバーとで構成され、ステッピングモータ１２の回転軸に連結されている。
【００１３】
ステッピングモータ１２は、光源１５や第１の表示器１を駆動するための電子部品とともに回路基板Ｃに実装され、回転軸が表示板１３の孔部を貫通して観察者Ｐ側に延びている。ステッピングモータ１２は、回路基板Ｃに実装される図示しないマイクロコンピュータが車両に搭載された各種センサからの信号に基づいて生成する制御信号に応じて、指針１１を回転動作させるものである。
【００１４】
表示板１３は、透光性合成樹脂からなる基板に印刷を施すことにより、遮光性の背景部と、指針１１の指示対象となる透光性の指標部と、が形成されている。
【００１５】
スペーサ１４は、白色の合成樹脂からなり、表示板１４と回路基板Ｃとの間隔を保持するとともに、光源１５からの光を指針１１や表示板１４の指標部へ反射して照明するための反射板としての機能している。
【００１６】
光源１５は、例えば回路基板Ｃの観察者Ｐ側に実装された複数の発光ダイオードからなり、外光が暗いなどの環境化においても光源１５の点灯により、指針１１や表示板１３の指標部を透過照明することにより、視認し易い第１の表示情報１ａを観察者Ｐ側へ発することができる。
【００１７】
第２の表示部２は、例えば、車両の走行距離や外気温、燃費情報など、第１の表示器１から発せられる第１の表示情報１ａと異なる情報（第２の表示情報２ａ）を表示出力するものであり、液晶パネル２１と、光源２２と、導光体２３と、配線２４とを設けてなる。なお、第２の表示部２からの第２の表示情報２ａは、透過反射部材３によって反射されて、観察者Ｐに視認できるように設けられる。
【００１８】
液晶パネル２１は、一対のガラス基板間に液晶を封入した周知な液晶セルからなり、観察者Ｐから直接視認し難い位置で、且つ透過型反射部材４の面を反射して視認可能な位置や表示面の方向が設定される。
【００１９】
光源２２は、導光体２３の端部に沿って複数個配置された発光ダイオードを適用できる。光源２２は、この場合、第１の表示器１の回路基板Ｃにおいて観察者Ｐ側の面に実装されている。
【００２０】
導光体２３は、板体形状の透光性合成樹脂を適用でき、光源２２からの光を入射する入射部と、液晶パネル２１の背面側（表示面の逆側）から、前記光を液晶パネル２１側に出射する出射部と、が形成され、液晶パネル２１を透過照明するように設けられる。なお、所望の表示像を形成してなる液晶パネル２１を透過してなる光は、第２の表示情報２ａとして透過反射部材３にて反射されて観察者Ｐへ発せられる。なお、導光体２３には、光源２２からの光が効率よく液晶パネル２１側に届くように、凹凸形状の反射部、または印刷部が形成されてなる。
【００２１】
配線２４は、液晶パネル２１と回路基板Ｃとを電気接続する、例えば複数の金属製リードピンや可撓性プリント基板、フラットケーブルなど適用でき、回路基板Ｃに実装されたコネクタを介して接続される。
【００２２】
透過反射部材３は、表示情報や照明光を透過、及び反射可能な板状であり、例えば、ハーフミラーなどを適用できる。透過反射部材３は、この場合、透光性合成樹脂材もしくは反射コーティング膜もしくはアルミニウムなどの金属の薄膜を被着した透光性部材からなり、前述したように第１の表示器１から発せられる第１の表示情報１ａを観察者Ｐ側へ透過し、第２の表示器２から発せられる第２の表示情報２ａを観察者Ｐ側に反射することで、第１の表示情報１ａの実像表示と第２の表示情報２ａの虚像表示を行うものである。
【００２３】
また、透過反射部材３は、照明光源４からの照明光を回路基板Ｃ側の端部から入射し、この照明光を観察者Ｐ側に反射する照明装飾部３１が設けられる。照明装飾部３１は、この場合、前記端部の他端に形成される反射面や、凹凸形状で形成されるが、透過反射部材３における第１の表示部１側の面に設けられる印刷部、または断面が半球状などの屈折部、または切り欠きが形成されることによって、観察者Ｐ側に照明光源４からの照明光を反射、屈折させることで観察者Ｐに対して照明表現することができる。また、この照明装飾部３１の形状によって、照明光源４が点灯した際に、斬新な表示を発することができる。
【００２４】
照明光源４は、回路基板Ｃにおける透過反射部材３側の面に実装される複数の発光ダイオードを適用でき、導光部材５を介して透過反射部材３の照明装飾部３１を照明するものである。
【００２５】
導光部材５は、板体形状の透光性合成樹脂を適用でき、照明光源４からの照明光を入射する入射部と、透過反射部材３の前記端部側へ反射する反射部と、前記照明光を透過反射部材３の前記端部側へ出射する出射部と、が形成される。
【００２６】
斯かる車両計器は、第１の表示情報１ａを発する第１の表示器１と、第２の表示情報２ａを発する第２の表示器２と、第１の表示器１と第１の表示情報１ａを視認する観察者Ｐとの間に設けられ、第１の表示情報１ａを透過するとともに、第２の表示情報２ａを観察者Ｐ側に反射することによって、第１，第２の表示情報１ａ，２ａを合成表示可能な透過反射部材３と、透過反射部材３へ照明光を発するための照明光源４と、透過反射部材３に入射された前記照明光を観察者Ｐ側に反射もしくは屈折させる照明装飾部３１と、を備えてなる。
【００２７】
従って、透過反射部材３の面においても照明演出することが可能となり、更なる表示効果を得ることができるため、商品性を向上させることが可能な車両用表示装置となる。また、照明光源４の点灯、消灯、点滅などを行うことによって、第１，第２の表示器１，２からの第１，第２の表示情報１ａ，２ａについて観察者Ｐの注意を引いたり、目立たせたりできる。また、照明装飾部３１は、透過反射部材３の面において、例えば、第１の表示情報１ａ、または第２の表示情報２ａの表示枠や装飾リングとなるような形状、あるいは文字や記号などの形状によって、斬新な照明表示を行うことができる。
【００２８】
また、照明光源４は、第１，第２の表示器１，２の回路基板Ｃ上に実装され、導光部材５を介して透過反射部材３に照明光を導入してなるため、簡単な構成によって、照明演出を行うことができる。なお、この場合、第１，第２の表示部１，２がともに回路基板Ｃに接続されてなるものを例にあげて説明したが、それぞれ異なる回路基板を備える場合も考えられる。この場合においても、何れかの回路基板に照明光源４を実装し、導光部材５を介して照明光を透過反射部材３へ導くことができ、照明光源４や透過反射部材３の配置の自由度を高めることができる。
【００２９】
なお、本発明の車両用表示装置を上述した実施の形態に構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００３０】
【図１】本発明の第一の実施形態である表示装置の断面図。
【符号の説明】
【００３１】
１    第１の表示器
１ａ  第１の表示情報
２    第２の表示器
２ａ  第２の表示情報
３    透過反射部材
４    照明光源
５    透光部材
【図１】
0004984081.tif 000002